【手続補正書】
【提出日】平成18年11月6日(2006.11.6)
【手続補正１】
【補正対象書類名】明細書
【補正対象項目名】特許請求の範囲
【補正方法】変更
【補正の内容】
【特許請求の範囲】
【請求項１】  少なくとも１つの孔を規定するハウジングと、
該ハウジング内に配置された自給式イオン発生器と
を備えた動電空気搬送調節装置であって、
前記イオン発生器は、
第１及び第２の出力口を有し、その出力口の１つが周囲の空気と同電位であってよく、デューティサイクルが約１０％から約１００％まで変化し得る信号を出力する高電圧発生器と、
前記出力口の間に有効に結合され、導電性の第１電極アレイと、そこから下流方向に配置され、前記発生器の第２の出力口に有効に結合された第２電極アレイとを備えた電極組立体と
を含み、
前記イオン発生器は、前記孔から静電的に流れるイオン化された空気及びオゾンの少なくとも一方を生成することを特徴とする動電空気搬送調節装置。
【請求項２】  前記第１の出力口が周囲の空気と同電位である請求項１に記載の搬送調節装置。
【請求項３】  前記高電圧発生器は、（ａ）前記高電圧発生器が接地に対して測定可能な第１電位を前記第１電極アレイに供給すると共に接地に対して測定可能な第２電位を前記第２電極アレイに供給すること、及び（ｂ）前記高電圧発生器が接地に対して測定可能な第１の正電位を前記第１電極アレイに供給すると共に接地に対して測定可能な第２の負電位を前記第２電極アレイに供給することからなる群から選ばれる特性を有する請求項１に記載の搬送調節装置。
【請求項４】  前記第１電極アレイは、（ｉ）尖った先端部を有する導電性のピン形状の電極、（ii）導電性の尖った電極、（iii）ステンレス鋼を用いて作製された尖った先端部を有する導電性の電極、（iv）タングステンを用いて作製された尖った先端部を有する導電性の電極、（ｖ）各々が先端部を備える複数の突出した導電性繊維を規定する端部を有する導電性材料の部分、及び（vi）各々が先端部を備える複数の突出した導電性繊維を規定する端部領域を有する炭素材料の部分からなる群から選ばれる少なくとも１つの電極を含み、
前記第２電極アレイは、（ｉ）中央開口部を規定するリング形状の電極であって、前記第１電極アレイの電極の先端部とほぼ同軸に、該第１電極アレイの電極の先端部から下流方向に配置され、前記第１電極アレイに面するとともに円滑且つ連続的に移行して前記中央開口部の周縁を取り囲むスカート状領域を形成する表面を有する、前記リング形状の電極、（ii）材料の輪であって、前記第１電極アレイの電極の先端部とほぼ同軸に、該第１電極アレイの電極の先端部から下流方向に配置され、前記第１電極アレイに面するとともに円滑且つ連続的に移行して前記輪の周縁を取り囲むスカート状領域を形成する表面を有する、前記材料の輪、（iii）導電性部材であって、これを通るように少なくとも１つの開口部が規定され、前記第１電極アレイの電極の先端部とほぼ同軸に、該第１電極アレイの電極の先端部から下流方向に配置され、前記第１電極アレイに面するとともに円滑且つ連続的に移行して前記開口部の周縁を取り囲むスカート状領域を形成する表面を有する、前記導電性部材、（iv）導電性部材であって、前記第１電極アレイの各電極についてこれを通るように１つの開口部が規定され、該開口部の各々が前記第１電極アレイの前記電極の先端部とほぼ同軸に、該第１電極アレイの該電極の先端部から下流方向に配置される、前記導電性部材、（ｖ）ほぼ丸型の電極であって、前記第１電極アレイの電極の先端部とほぼ同軸に、該第１電極アレイの電極の先端部から下流方向に配置され、前記丸型の電極は、断面において該丸型の電極に規定された中央開口部に向かって終端となるテーパ領域を規定し、前記丸型の電極は、（ａ）前記丸型の電極が、断面において該丸型の電極に規定された中央開口部に向かって終端となる丸められた輪郭を規定すること、及び（ｂ）前記第１電極アレイの電極の有効半径に対する前記丸型の電極の有効内径の割合が約１５：１を超えていることからなる群から選ばれる少なくとも１つの特徴を有する、前記丸型の電極からなる群から選ばれる少なくとも１つの導電性電極を含む、
請求項１に記載の搬送調節装置。
【請求項５】  前記第１電極アレイは、少なくとも（ｉ）電極が金属ワイヤであること、及び（ii）電極が金属ロッドであることからなる群から選ばれる少なくとも１つの特徴を有する前記電極を含み、
前記第２電極アレイは、断面においてだんご鼻領域と第１及び第２のトレーリングエッジ領域とを有するほぼＵ字形状を各々規定する少なくとも２つの電導性電極を含み、
前記Ｕ字形状の電極は、前記だんご鼻領域が前記第１電極アレイの電極に面し、そこから等距離にあるように配置されている、
請求項１に記載の搬送調節装置。
【請求項６】  前記第２電極アレイの電極は、（ｉ）１つのトレーリングエッジ領域の一部分が前記電極の残りのトレーリングエッジ領域より長いこと、（ii）前記トレーリングエッジ領域が下流に面する少なくとも１つの尖った突出物を規定すること、及び（iii）前記第１電極アレイの電極の有効半径に対する前記第２電極アレイの電極の有効半径の割合が約１５：１を超えていることからなる群から選ばれる少なくとも１つの特徴を有する請求項５に記載の搬送調節装置。
【請求項７】  前記第１電極アレイは少なくとも１つの金属ワイヤ電極を含み、
前記第２電極アレイは、断面において湾曲した鼻領域を有するＬ字形状を規定する少なくとも２つの電導性電極を含み、
前記Ｌ字形状の電極は、前記湾曲した鼻領域が前記金属ワイヤ電極に面し、そこから等距離にあるように配置されている、
請求項１に記載の搬送調節装置。
【請求項８】  前記第１電極アレイは少なくとも１つの金属ワイヤ電極を含み、
前記第２電極アレイは少なくとも２つのロッド形状の電導性電極を含み、
前記ロッド形状の電極は前記金属ワイヤ電極から等距離にあるように配置されている、
請求項１に記載の搬送調節装置。
【請求項９】  前記ワイヤ電極の半径に対する前記ロッド形状の電極の１つの半径の割合が約１５：１を超えている請求項８に記載の搬送調節装置。
【請求項１０】  前記第１電極アレイは少なくとも１つの金属ワイヤ電極を含み、
前記第２電極アレイは、前記金属ワイヤ電極から等距離にあるように配置されている少なくとも２つの電導性電極セグメントを含む、
請求項１に記載の搬送調節装置。
【請求項１１】  さらに、（ｉ）前記搬送調節装置により生成されるイオンの正味の極性を決定するためのバイアス電極、及び（ii）前記搬送調節装置により生成されるイオンの正味の極性を決定するための手段の少なくとも１つを含む請求項１に記載の動電空気搬送調節装置。
【請求項１２】  イオンとオゾンの少なくとも１つを含む清浄空気の流れを動電学的に供給する方法であって、
（ａ）少なくとも１つの孔を有するハウジングを供給する工程、
（ｂ）前記ハウジング内に、第１電極アレイと、そこから下流方向に配置された第２電極アレイとを含む電極組立体を配置する工程、及び、
（ｃ）第１及び第２の出力口を有し、その出力口の１つが周囲の空気と同電位であってよい高電圧発生器を、前記第１電極アレイと前記第２電極アレイとの間に結合する工程であって、前記高電圧発生器が、デューティサイクルが約１０％から約１００％まで変化し得る信号を出力し、（ｉ）前記高電圧発生器が接地に対して測定可能な第１電位を前記第１電極アレイに供給すると共に接地に対して測定可能な第２電位を前記第２電極アレイに供給すること、及び（ii）前記高電圧発生器が接地に対して測定可能な第１の正電位を前記第１電極アレイに供給すると共に接地に対して測定可能な第２の負電位を前記第２電極アレイに供給することからなる群から選ばれる出力特性を有する、前記工程、
を含むことを特徴とする前記方法。
【請求項１３】  前記工程（ｃ）が、第１の出力口が周囲の空気と同電位である高電圧発生器を結合する工程を含む、請求項１２に記載の方法。
【請求項１４】  さらに、（ｉ）前記搬送調節装置により生成されるイオンの正味の極性を決定するためのバイアス電極、及び（ii）前記搬送調節装置により生成されるイオンの正味の極性を制御するための手段の少なくとも１つを前記ハウジング内に配置する工程を含む、請求項１２に記載の方法。
【請求項１５】  前記工程（ｂ）が、
（ｉ）尖った先端部を有する導電性のピン形状の電極、（ii）導電性の尖った電極、（iii）ステンレス鋼を用いて作製された尖った先端部を有する導電性の電極、（iv）タングステンを用いて作製された尖った先端部を有する導電性の電極、（ｖ）各々が先端部を備える複数の突出した導電性繊維を規定する端部を有する導電性材料の部分、及び（vi）各々が先端部を備える複数の突出した導電性繊維を規定する端部領域を有する炭素材料の部分からなる群から選ばれる少なくとも１つの電極を備える、前記第１電極アレイを供給する工程、及び、
（ｉ）中央開口部を規定するリング形状の電極であって、前記第１電極アレイの電極の先端部とほぼ同軸に、該第１電極アレイの電極の先端部から下流方向に配置され、前記第１電極アレイに面するとともに円滑且つ連続的に移行して前記中央開口部の周縁を取り囲むスカート状領域を形成する表面を有する、前記リング形状の電極、（ii）材料の輪であって、前記第１電極アレイの電極の先端部とほぼ同軸に、該第１電極アレイの電極の先端部から下流方向に配置され、前記第１電極アレイに面するとともに円滑且つ連続的に移行して前記輪の周縁を取り囲むスカート状領域を形成する表面を有する、前記材料の輪、（iii）導電性部材であって、これを通るように少なくとも１つの開口部が規定され、前記第１電極アレイの電極の先端部とほぼ同軸に、該第１電極アレイの電極の先端部から下流方向に配置され、前記第１電極アレイに面するとともに円滑且つ連続的に移行して前記開口部の周縁を取り囲むスカート状領域を形成する表面を有する、前記導電性部材、（iv）導電性部材であって、前記第１電極アレイの各電極についてこれを通るように１つの開口部が規定され、該開口部の各々が前記第１電極アレイの前記電極の先端部とほぼ同軸に、該第１電極アレイの該電極の先端部から下流方向に配置される、前記導電性部材、（ｖ）ほぼ丸型の電極であって、前記第１電極アレイの電極の先端部とほぼ同軸に、該第１電極アレイの電極の先端部から下流方向に配置され、前記丸型の電極は、断面において該丸型の電極に規定された中央開口部に向かって終端となるテーパ領域を規定し、前記丸型の電極は、（ａ）前記丸型の電極が、断面において該丸型の電極に規定された中央開口部に向かって終端となる丸められた輪郭を規定すること、及び（ｂ）前記第１電極アレイの電極の有効半径に対する前記丸型の電極の有効内径の割合が約１５：１を超えていることからなる群から選ばれる少なくとも１つの特徴を有する、前記丸型の電極からなる群から選ばれる少なくとも１つの導電性電極を備える、前記第２電極アレイを供給する工程、
を含む、請求項１２に記載の方法。
【請求項１６】  前記工程（ｂ）が、
（ｉ）ワイヤ及び（ii）ロッドからなる群から選ばれる少なくとも１つの電極を備える、前記第１電極アレイを供給する工程、及び、
断面において、（ｉ）湾曲した鼻領域と第１及び第２のトレーリングエッジ領域とを有するほぼＵ字形状、及び（ii）湾曲した鼻領域を有するＬ字形状からなる群から選ばれる形状を規定する少なくとも２つの電導性電極を備える、前記第２電極アレイを供給する工程、であって、前記第２電極アレイの電極は、前記湾曲した鼻領域が前記第１電極アレイの電極に面し、そこから等距離にあるように配置されており、前記第２電極アレイの電極は、（ｉ）１つのトレーリングエッジ領域の一部分が前記電極の残りのトレーリングエッジ領域より長いこと、（ii）前記トレーリングエッジ領域が下流に面する少なくとも１つの尖った突出物を規定すること、及び（iii）前記第１電極アレイの電極の有効半径に対する前記第２電極アレイの電極の有効半径の割合が約１５：１を超えていることからなる群から選ばれる少なくとも１つの特徴を有する、前記工程、
を含む、請求項１２に記載の方法。
【請求項１７】  前記工程（ｂ）が、テーパした導電性のピン形状の電極を備える、前記第１電極アレイを供給する工程、及び、中央開口部を規定する導電性のリング形状の電極であって、前記テーパしたピン形状の電極の端部とほぼ同軸に、該テーパしたピン形状の電極の端部から下流方向に配置され、前記第１電極アレイに面するとともに円滑且つ連続的に移行して前記中央開口部の周縁を取り囲むスカート状領域を形成する表面を有する、前記リング形状の電極を備える、前記第２電極アレイを供給する工程を含む、請求項１２に記載の方法。
【請求項１８】  前記工程（ｂ）が、少なくとも１つのワイヤ電極を備える前記第１電極アレイを供給する工程、及び、該ワイヤ電極から等距離にあるように配置されている少なくとも２つのロッド形状の電導性電極を備える前記第２電極アレイを供給する工程を含み、
前記第１電極アレイの電極及び前記第２電極アレイの電極が、（ｉ）前記ワイヤ電極の半径に対する前記ロッド形状の電極の１つの半径の割合が約１５：１を超えていること、及び（ii）前記第２電極アレイは、前記金属ワイヤ電極から等距離にあるように配置されている少なくとも２つの電導性電極セグメントを含んでいることからなる群から選ばれる少なくとも１つの特徴を有する、請求項１２に記載の方法。
【請求項１９】  前記工程（ｂ）が、前記金属ワイヤ電極から等距離にあるように、また該金属ワイヤ電極に平行に配置されている少なくとも２つの電導性電極セグメントを備える前記第２電極アレイを供給する工程を含む、請求項１２に記載の方法。
【請求項２０】  前記工程（ｃ）が、交流電圧によって電力供給される高電圧発生器を供給する工程を含む、請求項１２に記載の方法。